(57)【要約】      （修正有）【課題】内容物を便利に使用できるように収容空間の大きさ及び形態を簡便に可変させるようにした包装箱を提供する。【解決手段】包装箱は、方形の底部と、前記底部の周縁に立てられるように設けられた４個の側壁部とを備えて上方に開放された収容空間を構成し、前記側壁部は、垂直状態に固定されるように向かい合って配置された一対の固定側壁部と、垂直状態から前記底部の外側に傾斜可能に前記固定側壁部の間に向かい合って配置された一対の回転側壁部とを有し、前記回転側壁部が傾く過程で前記固定側壁部と該回転側壁部との間を塞ぐように設けられた閉塞部を備える。【選択図】図５
0003183757.tif 000002
【実用新案登録請求の範囲】
【請求項１】
方形の底部と、前記底部の周縁に立てられるように設けられた４個の側壁部とを備えて上方に開放された収容空間を構成する包装箱であって、
前記側壁部は、垂直状態に固定されるように向かい合って配置された一対の固定側壁部と、垂直状態から前記底部の外側に傾斜可能に前記固定側壁部の間に向かい合って配置された一対の回転側壁部とを有し、
傾斜するように回転した回転側壁部と前記固定側壁部との間を塞ぐように設けられた閉塞部を備えていることを特徴とする包装箱。
【請求項２】
前記閉塞部は、前記回転側壁部の両側端から前記固定側壁部に向かって垂直に折り曲がるように延在しており、
前記固定側壁部には、前記閉塞部がスライディング可能に結合するように結合部が設けられ、
前記閉塞部は、前記回転側壁部が最大傾斜角で傾いた状態で前記結合部に引っ掛かるように設けられていることを特徴とする、請求項１に記載の包装箱。
【請求項３】
前記固定側壁部は、底部から上方に折り曲がるように延在している外側壁部と、前記外側壁部の上端から前記外側壁部の内面側に折り曲がるように延在している内側壁部と、を有し、
前記外側壁部と前記底部との間には固定溝が貫通形成されており、
前記内側壁部の末端部には前記固定溝に固定されるように固定突起が設けられており、
前記結合部は、前記外側壁部と内側壁部との間に設けられることを特徴とする、請求項２に記載の包装箱。
【請求項４】
前記固定突起の末端は、前記固定溝を挿入した状態で一側に折り曲がるように設けられていることを特徴とする、請求項３に記載の包装箱。
【請求項５】
前記閉塞部は、前記回転側壁部から延在している第１のパートと、前記第１のパートから延在している第２のパートと、を有し、前記第２のパートは、前記回転側壁部が最大傾斜角で傾いた状態で前記内側壁部と外側壁部との上端境界に引っ掛かるように設けられた止め部を有していることを特徴とする、請求項３に記載の包装箱。
【請求項６】
前記第２のパートは、前記回転側壁部が前記底部と垂直をなした状態で前記底部に支持されるように設けられた底支持部をさらに有していることを特徴とする、請求項５に記載の包装箱。
【請求項７】
前記第１のパートと第２のパートとの間には、前記閉塞部の折り曲がり動作をガイドするように折り誘導線が入っていることを特徴とする、請求項５に記載の包装箱。
【請求項８】
前記閉塞部は、前記回転側壁部の側端と固定側壁部の側端とを折り畳み可能に連結するように設けられていることを特徴とする、請求項１に記載の包装箱。 
【請求項９】
前記閉塞部は、前記回転側壁部が前記底部と垂直をなした状態で互いに重なるように設けられた複数の折り畳み部を有しており、
前記複数の折り畳み部のうち、前記回転側壁部に隣接した折り畳み部は、前記回転側壁部の内面に接着するように設けられていることを特徴とする、請求項８に記載の包装箱。
【請求項１０】
前記収容空間の開放された上部を開閉可能に設けられた蓋部と、前記収容空間を閉じた状態で蓋部をロックするように設けられたロック装置と、をさらに備え、
前記回転側壁部は、前記蓋部がロック解除された状態では回転動作が許容され、前記蓋部がロックされた状態では回転動作が制限されるように設けられていることを特徴とする、請求項１に記載の包装箱。
【考案の詳細な説明】
【技術分野】
【０００１】
本考案は、包装箱に係り、内容物を便利に使用できるように収容空間の大きさ及び形態を簡便に可変させるようにした包装箱に関する。
【背景技術】
【０００２】
近年、お菓子や軽い食べ物などの包装には、紙や合成樹脂フィルムなどの材質で作られた包装箱が広く用いられている。
【０００３】
このような包装箱は、展開図の形態で裁断されたシートを折りながら継ぎ手同士を固定する方式で作製すればいいため、作製しやすく、軽量であるため製品の運送コストも削減できるという利点を有する。
【０００４】
例えば、特許文献１などには、お菓子などの包装に用いられるように紙材質で作られた包装箱の一例が示されている。
【先行技術文献】
【特許文献】
【０００５】
【特許文献１】韓国登録実用新案公報第２０−０３２９２４９号
【考案の概要】
【考案が解決しようとする課題】
【０００６】
しかしながら、従来の包装箱は、内容物が収容される収容空間のサイズが固定しているのが殆どであり、お菓子などの内容物は、数人がつまんで食べやすくするために、包装箱を開けた後、入口の広い別の容器に入れ替えるという不便があった。
【０００７】
そこで、包装箱の収容空間を空間内に詰める内容物に比べて広くすることも考えられるが、そうすると、内容物が収容空間内で動きやすく、流通過程で損傷するという問題にもつながる。
【０００８】
本考案は、上記の問題点を解消するために案出されたもので、その目的は、内容物を便利に使用できるように収容空間の大きさ及び形態を簡便に可変するようにした包装箱を提供することにある。
【課題を解決するための手段】
【０００９】
これを解決するために、本考案の技術思想に係る包装箱は、方形の底部と、前記底部の周縁に立てられるように設けられた４個の側壁部とを備えて上方に開放された収容空間を構成し、前記側壁部は、垂直状態に固定されるように向かい合って配置された一対の固定側壁部と、垂直状態から前記底部の外側に傾斜可能に前記固定側壁部の間に向かい合って配置された一対の回転側壁部とを有し、傾斜するように回転された回転側壁部と前記固定側壁部との間を塞ぐように設けられた閉塞部を備えていることを特徴とする。
【００１０】
前記閉塞部は、前記回転側壁部の両側端から前記固定側壁部に向かって垂直に折り曲がるように延在しており、前記固定側壁部には、前記閉塞部がスライディング可能に結合するように結合部が設けられ、前記閉塞部は、前記回転側壁部が最大傾斜角で傾いた状態で前記結合部に引っ掛かるように設けられていてもよい。
【００１１】
前記固定側壁部は、底部から上方に折り曲がるように延在している外側壁部と、前記外側壁部の上端から前記外側壁部の内面側に折り曲がるように延在している内側壁部と、を有し、前記外側壁部と底部との間には固定溝が貫通形成されており、前記内側壁部の末端部には前記固定溝に固定されるように固定突起が設けられており、前記結合部は、前記外側壁部と内側壁部との間に設けられてもよい。
【００１２】
前記固定突起の末端は、前記固定溝を挿入した状態で一側に折り曲がるようになっていてもよい。
【００１３】
前記閉塞部は、前記回転側壁部から延在している第１のパートと、前記第１のパートから延在している第２のパートと、を有し、前記第２のパートは、前記回転側壁部が最大傾斜角で傾いた状態で前記内側壁部と外側壁部との上端境界に引っ掛かるように設けられた止め部を有していてもよい。
【００１４】
前記第２のパートは、前記回転側壁部が前記底部と垂直をなした状態で前記底部に支持されるように設けられた底支持部をさらに有していてもよい。
【００１５】
前記第１のパートと第２のパートとの間には前記閉塞部の折り曲がり動作をガイドするように折り誘導線が入っていてもよい。
【００１６】
前記閉塞部は、前記回転側壁部の側端と固定側壁部の側端とを折り畳み可能に連結するようになっていてもよい。
【００１７】
前記閉塞部は、前記回転側壁部が前記底部と垂直をなした状態で互いに重なるように設けられた複数の折り畳み部を有し、前記複数の折り畳み部のうち、前記回転側壁部に隣接した折り畳み部は、前記回転側壁部の内面に接着するように設けられてもよい。
【００１８】
前記包装箱は、前記収容空間の開放された上部を開閉可能に設けられた蓋部と、前記収容空間を閉じた状態で蓋部をロックするように設けられたロック装置と、をさらに備え、前記回転側壁部は、前記蓋部がロック解除された状態では回転動作が許容され、前記蓋部がロックされた状態では回転動作が制限されるようになっていてもよい。
【考案の効果】
【００１９】
本考案の一側面によれば、包装箱は、向かい合って配置された一対の回転側壁部が底部の外側に傾斜可能になっており、且つ傾斜した回転側壁部とそれに隣接した固定側壁部との間が閉塞部で塞がれるようになっている。
【００２０】
したがって、回転側壁部及び閉塞部を用いて収容空間の大きさを容易に可変させることができ、別の容器を用いなくとも収容空間中の内容物をより便利に使用することが可能になる。
【図面の簡単な説明】
【００２１】
【図１】本考案の第１の実施例に係る包装箱の構造を示す斜視図であり、収容空間が閉じている状態を示している。
【図２】本考案の第１の実施例に係る包装箱の展開図である。
【図３】本考案の第１の実施例に係る包装箱の構造を示す斜視図であり、組立中の状態を示している。
【図４】本考案の第１の実施例に係る包装箱の構造を示す斜視図であり、回転側壁部が垂直に立てられた状態を示している。
【図５】本考案の第１の実施例に係る包装箱の構造を示す斜視図であり、回転側壁部が傾くように回転した状態を示している。
【図６】図５の状態で固定側壁部の間が広がっている状態を示す平面図である。
【図７】本考案の第１の実施例に係る包装箱の要部変形例を示す断面図であり、固定側壁部の固定突起が固定溝に差し込まれた状態を示している。
【図８】図７において固定突起が折られた状態を示す図である。
【図９】本考案の第２の実施例に係る包装箱の構造を示す斜視図であり、収容空間が閉じている状態を示す図である。
【図１０】本考案の第２の実施例に係る包装箱の展開図である。
【図１１】本考案の第２の実施例に係る包装箱の構造を示す斜視図であり、回転側壁部が傾くように回転した状態を示している。
【図１２】本考案の第２の実施例に係る包装箱の構造を示す斜視図であり、回転側壁部が垂直に立てられた状態を示している。
【図１３】本考案の第２の実施例に係る包装箱の変形例を示す平面図であり、回転側壁部が傾くように回転した状態を示している。
【考案を実施するための形態】
【００２２】
以下、本考案の実施例を、添付の図面を参照しつつ詳細に説明する。以下の実施例は、本考案の属する技術の分野における通常の知識を有する者に本考案の事項を十分に伝達するために例示として提供されるもので、本考案は、以下に説明される実施例に限定されず、他の形態に具体化してもよい。本考案を明確に説明するために、説明に関わらない部分は図示を省略するものとする。なお、図面において構成要素の幅、長さ、厚さなどは便宜のために誇張して表現されることもある。明細書全体を通じて同一の構成要素には同一の参照番号を付する。
【００２３】
図１乃至図６には、本考案の第１の実施例に係る包装箱１の構造を示す。
【００２４】
特に、図１及び図２はそれぞれ、本考案の第１の実施例に係る包装箱１の組立済み状態の斜視図及び展開状態の展開図である。
【００２５】
本実施例に係る包装箱１は、個々になっているお菓子のような形態の内容物を包装するためのもので、ボール紙や厚い紙の材質で作られる。包装箱１は、折り曲げ可能な程度に柔軟な、薄い合成樹脂フィルムで作製してもよい。
【００２６】
図２の展開図の形態で裁断した紙材質のシートを折って図１の包装箱１に組み立てることができる。図面符号ａは、包装箱の組立過程で折られる折り線を表す。点線の折り線ａは、折られる前の状態を表し、実線状態の折り線ａは、折られた状態を表す。そして、図面符号ｂは、切開された部位を表す切り込みである。
【００２７】
図１乃至図６に示すように、包装箱１は、方形の底部１０と、底部１０の周縁から立てられる４個の側壁部２０，３０と、を有している。４個の側壁部２０，３０で囲まれた底部１０の内部空間は、内容物の収容のために上方に開放された収容空間４０を形成する。底部１０は正方形や長方形に形成することができる。
【００２８】
側壁部２０，３０は、垂直に立てられた状態で固定されるように向かい合って配置された一対の固定側壁部２０と、垂直に立てられた状態で下端を基準に回転して底部１０の外側に傾斜するように固定側壁部２０の間に向かい合って配置された一対の回転側壁部３０と、を有する。
【００２９】
包装箱１を柔軟な材質で作製することから、固定側壁部２０は、立てられた状態で完全に固定されるわけではなく、外力を受けると固定側壁部２０もやや傾くことがある。
【００３０】
固定側壁部２０は、底部１０から垂直上方に折り曲がる外側壁部２１と、外側壁部２１の上端から下方に折り曲がって外側壁部２１の内面側に配置される内側壁部２２と、を有する。そのため、固定側壁部２０は、外側壁部２１が外面を形成し、内側壁部２２が内面を形成した２重構造となる。
【００３１】
外側壁部２１と内側壁部２２とは略同一の長さを有する。外側壁部２１と底部１０との境界には固定溝５１が切開されており、外側壁部２１から折り曲がった状態で下端となる内側壁部２２の縁部には、固定溝５１に差し込まれて固定されるように固定突起５２が設けられている。固定溝５１は、外側壁部２１を底部１０に対して立てるように折る過程で外側壁部２１と底部１０との間における切り込みｂにより形成される。したがって、固定側壁部２０は、内側壁部２２を外側壁部２１の内面側に折り畳んだ状態で固定突起５２を固定溝５１に差し込むことによって、立てられた状態で固定可能になる。
【００３２】
本実施例では固定突起５２を、包装箱１を構成するシートの厚さよりもやや長く形成して固定溝５１に挟み込まれるようにしているが、本実施例の要部変形例である図７及び図８に示すように、固定突起５２´を、固定溝５１を貫通した状態で底部１０の下面や底部１０の外側に折り曲がる程度に長く形成してもよい。後者では、固定溝５１への固定突起５２´の締結力がより強化するため、内側壁部２２は外側壁部２１に折り畳まれた状態をより安定して保持することができ、且つ、底部１０の下面に接したり底部１０の外側に折り畳まれた固定突起５２´の末端が、包装箱１が地面に安定して置かれるのを妨げることもない。
【００３３】
固定突起５２が固定溝５１に差し込まれた状態で内側壁部２２と外側壁部２１との間は側方に開放され、後述する閉塞部６０がスライディング可能に結合する結合部２３を形成する。
【００３４】
そして、各回転側壁部３０の両側端には、結合部２３にスライディング可能に結合する閉塞部６０が設けられて、外側に傾斜した状態の回転側壁部３０と固定側壁部２０との間を覆って塞ぐようになっている。
【００３５】
したがって、図４に示すように、収容空間４０は、回転側壁部３０が垂直に立てられた状態では略直方体形になっているが、外側に傾斜させた回転側壁部３０と回転側壁部３０の両側の閉塞部６０とにより形成される空間分だけ体積が増加しながら、形態が可変する。収容空間４０の大きさは、いずれか一方の回転側壁部３０のみを回転させて一側方向にのみ拡張されるようにしてもよく、一対の回転側壁部３０とも回転させて収容空間４０が両側方向に拡張されるようにしてもよい。これにより、図５に示すように、包装箱１は、収容空間４０の底側に比べて入口側が広い形態に変わる。
【００３６】
本実施例で、閉塞部６０は、回転側壁部３０の両側端から略扇状に固定側壁部２０に向かって垂直に折り曲がるように延在している。図３に示すように、閉塞部６０は、固定側壁部２０の両側に配置された一対を、固定側壁部２０の内側壁部２２を外側壁部２１の内面側に折り畳む前に、外側壁部２１の内面側に重なり合うように配置する。この状態で内側壁部２２を外側壁部２１の内面側に折って固定突起５２を固定溝５１に固定させることで、閉塞部６０は結合部２３にスライディング可能に結合し、回転側壁部３０と共に回転可能になる。回転側壁部３０の回転動作時に、内側壁部２２と外側壁部２１との間に支持された状態でスライディングする閉塞部６０は、回転側壁部３０の安定した回転動作をガイドする役割も果たす。
【００３７】
一方、回転側壁部３０が垂直に立てられた状態で９０°回転して底部１０と水平になると収容空間４０が側方に開放されて収容空間４０に内容物を収容し難くなり、回転側壁部３０の傾斜角が小さすぎると収容空間４０の拡張効果が得られないこともあるから、回転側壁部３０の最大傾斜角は３０〜７０°程度に制限することが好ましい。本実施例では回転側壁部３０の最大傾斜角を４５°にした。
【００３８】
また、回転側壁部３０が固定側壁部２０から取り外されることを防止するために、閉塞部６０は、最大傾斜角で傾斜した状態で結合部２３に引っ掛かるように設けられる。
【００３９】
閉塞部６０は、回転側壁部３０から延在している第１のパート６１と、第１のパート６１から延在している第２のパート６２と、を有し、本実施例で、第１及び第２のパート６１，６２は概略閉塞部６０を半分ずつ占めている。第１のパート６１は扇状に形成されており、第２のパート６２も略扇状に形成されている。第２のパート６２は、回転側壁部３０が最大傾斜角で傾斜した状態で内側壁部２２と外側壁部２１との上端境界に安定して引っ掛かるように、扇形の弧に該当する部位に直線状の止め部６２ａが設けられる。止め部６２ａは、回転側壁部が最大傾斜角で傾斜した状態で略水平となり、外側壁部２１と内側壁部２２との上端境界に安定して引っ掛かることとなる。また、閉塞部６０は、回転側壁部３０が底部１０と垂直をなした状態で底部１０に支持されるように設けられた底支持部６２ｂを有し、垂直に立てられた状態の回転側壁部３０がより安定して保持されるようにする。
【００４０】
そして、閉塞部６０の第１のパート６１と第２のパート６２との間には閉塞部６０の折り動作をガイドするように折り誘導線６３を入れる。これにより、図６に示すように、収容空間４０の大きさが最大に拡張された包装箱１は、両固定側壁部２０の間が相互広がるように力を受ける場合に、折り誘導線６３が折り曲がりつつ全体的に入口の広い略皿状の容器形態に変わる。
【００４１】
また、包装箱１は、収容空間４０の開放された上部を開閉可能に設けられた蓋部７０と、収容空間４０を閉じた状態で蓋部７０をロックするように設けられたロック装置８０と、を備える。
【００４２】
蓋部７０は、それぞれの回転側壁部３０の上部に折り曲げ可能に延在した第１の蓋部７１及び第２の蓋部７２で構成される。第１の蓋部７１と第２の蓋部７２は、収容空間４０の上部を覆うように折り曲がった状態で末端部が互いに重なるようになっている。ここで、ロック装置８０は、第１の蓋部７１の末端部に貫通して設けられた長孔形態の差込孔８１と、差込孔８１に差し込まれて掛かるように、差込孔８１の部位と重なる第２の蓋部７２の末端部に設けられた差込片８２とで構成される。差込片８２は、第２の蓋部７２に付いた折り線ａが折られつつ折り線ａの中央の切り込みｂに沿って突き出るように設けられ、この差込片８２を差込孔８１に差し込んだり差込孔８１から抜くことで、蓋部７０はロックされたりロック解除される。
【００４３】
したがって、ロック装置８０により蓋部７０がロックされた状態では、蓋部７０で収容空間４０の上部が閉じると同時に、一対の回転側壁部３０同士が蓋部７０を介して連結された状態に保持されるため、各回転側壁部３０の回転動作は制限され、一方、蓋部９０のロックが解除されて第１及び第２の蓋部７１，７２が離れると、回転側壁部３０の回転動作は許容された状態となる。
【００４４】
ロック装置８０は、雌雄ボタンや雌雄ベルクロのように、蓋部７０をロックまたはロック解除すると共に、回転側壁部３０の回転動作を選択的に制限できるような範囲内で種々の変形が可能である。
【００４５】
次に、本考案の第２の実施例に係る包装箱２について説明する。
【００４６】
図９乃至図１３に示すように、本実施例に係る包装箱２は、方形の底部１０と、底部１０の周縁に立てられるように設けられた４個の側壁部９０，１００と、を備えている。４個の側壁部９０，１００で囲まれた底部１０の内部空間は、内容物を収容するために上方に開放された収容空間１１０を形成する。底部１０は、正方形や長方形にすることができる。
【００４７】
紙材質のシートで作製される包装箱２は、図１０の展開図の形態から図９の形態に折られる。
【００４８】
側壁部９０，１００は、垂直に立てられた状態で固定されるように向かい合って配置された一対の固定側壁部９０と、垂直に立てられた状態で下端を基準に回転して底部の外側に傾斜するように固定側壁部２０の間に向かい合って配置された一対の回転側壁部１００と、を有する。
【００４９】
また、包装箱２は、収容空間１１０の開放された上部を開閉可能に設けられた蓋部７０と、収容空間１１０が閉じた状態で蓋部７０をロックするように設けられたロック装置８０と、を備えている。蓋部７０とロック装置８０は、上述した第１の実施例と同一に構成すればいい。
【００５０】
一方、本実施例では、収容空間１１０を可変させるために回転した回転側壁部１００と固定側壁部９０との間を塞ぐ閉塞部６０´が、隣り合う回転側壁部１００の側端と固定側壁部９０の側端との間を折り畳み可能につなぐように設けられている。
【００５１】
閉塞部６０´は、回転側壁部１００が底部１０と垂直をなしている状態で重なり合うように設けられた複数の折り畳み部６１´，６２´で構成され、複数の折り畳み部６１´，６２´は、外力が加えられない状態では広がるように弾性復原力を有している。
【００５２】
折り畳み部６１´，６２´の間には折り畳み線６３´が入っており、固定側壁部９０が立てられた状態を安定して保持するように、複数の折り畳み部６１´，６２´のうち、回転側壁部１００に隣接した折り畳み部６１´を当該回転側壁部１００の内面に接着して固定させる。
【００５３】
このように構成された包装箱２は、図９の状態で蓋部７０のロックを解除して第１及び第２の蓋部７１，７２を互いに離すと、図１１に示すように、閉塞部６０´の折り畳み部６１´，６２´が弾力的に広がりながら回転側壁部１００も自動に広がるようになる。これにより、包装箱２は、収容空間１１０の底側に比べて入口側が広い容器の形態に変わる。この状態でも、固定側壁部９０と回転側壁部１００との間は閉塞部６０´により塞がった状態を保持する。
【００５４】
そして、この状態で再び回転側壁部１００を加圧して縮めると、図１２に示すように、閉塞部６０´の折り畳み部６１´，６２´が密着しながら回転側壁部１０は再び垂直状態に立てられ、この状態で再びロック装置８０で蓋部７０をロックすることで、包装箱を図９の状態にすることができる。
【００５５】
ここでは２個の折り畳み部６１´，６２´を構成した例を挙げたが、図１３に示すように、折り畳み部６１´，６２´，６４´，６５´にしてもよく、折り畳み部の個数は２個以上であればよい。折り畳み部６１´，６２´，６４´，６５´のように、折り畳み部の個数を増やした包装箱２´は、固定側壁部９０もやや外側に傾いた状態を保持することができる。
【符号の説明】
【００５６】
１      包装箱
１０    底部
２０    固定側壁部
２１    外側壁部
２２    内側壁部
３０    回転側壁部
４０    収容空間
５１    固定溝
５２    固定突起
６０    閉塞部
６１    第１のパート
６２    第２のパート
６３    折り誘導線
７０    蓋部
７１    第１の蓋部
７２    第２の蓋部
８０    ロック装置
８１    差込孔
８２    差込片
【図１】
0003183757.tif 000003
【図２】
0003183757.tif 000004
【図３】
0003183757.tif 000005
【図４】
0003183757.tif 000006
【図５】
0003183757.tif 000007
【図６】
0003183757.tif 000008
【図７】
0003183757.tif 000009
【図８】
0003183757.tif 000010
【図９】
0003183757.tif 000011
【図１０】
0003183757.tif 000012
【図１１】
0003183757.tif 000013
【図１２】
0003183757.tif 000014
【図１３】
0003183757.tif 000015